(57)【要約】  端末の特性に応じて異なるクラスのプリアンブルを送信するデータ送信システムを提供する。データの受信において、電力の制限を受ける端末は、特定クラスのプリアンブルのみを受信することでエネルギー消耗を減少させる。一般的な端末は、複数クラスのプリアンブルを受信して迅速にデータを受信する。【選択図】図１
2013528967.tif 000002
【特許請求の範囲】
【請求項１】
第１プリアンブル及び第１データを第１受信装置に送信する第１プリアンブル送信部と、
第２プリアンブル及び第２データを第１受信装置及び第２受信装置に送信する第２プリアンブル送信部と、を備え、
前記第１データは、前記第１プリアンブルの検出有無に応じて前記第１受信装置によって受信され、
前記第２データは、前記第２プリアンブルの検出有無に応じて前記第１受信装置及び前記第２受信装置によって受信されることを特徴とする送信装置。
【請求項２】
前記第１プリアンブルの長さは、前記第２プリアンブルの長さの整数倍であることを特徴とする請求項１に記載の送信装置。
【請求項３】
前記第２プリアンブル送信部は、前記第１プリアンブルが送信される時間区間の間に前記第２プリアンブルを繰り返して送信することを特徴とする請求項２に記載の送信装置。
【請求項４】
前記第２受信装置は、バッテリを用いて電力が供給されることを特徴とする請求項１に記載の送信装置。
【請求項５】
第１プリアンブル又は第２プリアンブルが含まれる受信信号を送信装置から受信する受信部と、
制御信号を受信する制御信号受信部と、
前記第１プリアンブルを検出する第１プリアンブル検出部と、
前記第２プリアンブルを検出する第２プリアンブル検出部と、を備え、
前記制御信号受信部は、前記制御信号によって前記第１プリアンブル検出部又は前記第２プリアンブル検出部を活性化させ、
前記第１プリアンブル又は前記第２プリアンブルが検出された場合に、前記受信部は、前記送信装置からデータを受信することを特徴とする受信装置。
【請求項６】
前記第１プリアンブルの長さは、前記第２プリアンブルの長さの整数倍であることを特徴とする請求項５に記載の受信装置。
【請求項７】
送信装置から受信した第１プリアンブル又は第２プリアンブルを検出するプリアンブル検出部と、
前記第１プリアンブル又は前記第２プリアンブルの検出有無に応じて前記送信装置からデータを受信する受信部と、を備え、
第２受信装置は、前記送信装置から受信した前記第２プリアンブルを検出し、前記第２プリアンブルの検出有無に応じて前記送信装置から第２データを受信することを特徴とする受信装置。
【請求項８】
前記第１プリアンブルの長さは、前記第２プリアンブルの長さの整数倍であることを特徴とする請求項７に記載の受信装置。
【請求項９】
前記送信装置は、前記第１プリアンブルを送信する時間区間の間に前記第２プリアンブルを繰り返して送信することを特徴とする請求項８に記載の受信装置。
【請求項１０】
送信装置から受信した第１プリアンブルを検出するプリアンブル検出部と、
前記第１プリアンブルの検出有無に応じて前記送信装置からデータを受信する受信部と、を備え、
第２受信装置は、前記送信装置から受信した前記第１プリアンブル又は第２プリアンブルを検出し、前記第１プリアンブル又は前記第２プリアンブルの検出有無に応じて前記送信装置から第２データを受信することを特徴とする受信装置。
【請求項１１】
前記第１プリアンブルの長さは、前記第２プリアンブルの長さの整数倍であることを特徴とする請求項１０に記載の送信装置。
【請求項１２】
第１プリアンブル及び第１データを第１受信装置に送信するステップと、
第２プリアンブル及び第２データを第１受信装置及び第２受信装置に送信するステップと、を有し、
前記第１データは、前記第１プリアンブルの検出有無に応じて前記第１受信装置によって受信され、
前記第２データは、前記第２プリアンブルの検出有無に応じて前記第１受信装置又は前記第２受信装置によって受信されることを特徴とする送信方法。
【請求項１３】
前記第１プリアンブルの長さは、前記第２プリアンブルの長さの整数倍であることを特徴とする請求項１２に記載の送信方法。
【請求項１４】
前記第２プリアンブルを送信するステップは、前記第１プリアンブルが送信される時間区間の間に前記第２プリアンブルを繰り返して送信することを特徴とする請求項１３に記載の送信方法。
【請求項１５】
第１プリアンブル又は第２プリアンブルが含まれる受信信号を送信装置から受信するステップと、
制御信号を受信するステップと、
前記制御信号によって前記第１プリアンブル又は前記第２プリアンブルを検出するステップと、
前記第１プリアンブル又は前記第２プリアンブルの検出有無に応じて前記送信装置からデータを受信するステップと、を有することを特徴とする受信方法。
【請求項１６】
前記第１プリアンブルの長さは、前記第２プリアンブルの長さの整数倍であることを特徴とする請求項１５に記載の受信方法。
【請求項１７】
送信装置から受信した第１プリアンブル又は第２プリアンブルを検出するステップと、
前記第１プリアンブル又は前記第２プリアンブルの検出有無に応じて前記送信装置からデータを受信するステップと、を有し、
第２受信装置は、前記送信装置から受信した前記第２プリアンブルを検出し、前記第２プリアンブルの検出有無に応じて前記送信装置から第２データを受信することを特徴とする受信方法。
【請求項１８】
送信装置から受信した第１プリアンブルを検出するステップと、
前記第１プリアンブルの検出有無に応じて前記送信装置からデータを受信するステップと、を有し、
第２受信装置は、前記送信装置から受信した前記第１プリアンブル又は第２プリアンブルを検出し、前記第１プリアンブル又は前記第２プリアンブルの検出有無に応じて前記送信装置から第２データを受信することを特徴とする受信方法。
【請求項１９】
請求項１２に記載の送信方法を実行させるためのプログラムを記録したコンピュータ読み取り可能な記録媒体。
【発明の詳細な説明】
【技術分野】
【０００１】
本発明は、移動通信分野に関し、より詳細には、異なるクラスのプリアンブルを送信するプリアンブルの構造に関する。
【背景技術】
【０００２】
受信装置は送信装置からデータを受信する。一般的に、受信装置は、いつ送信装置がデータを送信するかを把握することができない。受信装置が送信装置から送信されるデータを常に待機すると、受信装置はデータを受信するために過度な電力を用いることになる。従って、受信装置は、休止（ｉｄｌｅ）状態で送信装置がデータを送信するか否かを定期的にモニタリングし、送信装置がデータを送信する場合にのみアクティブ状態に遷移してデータを受信する。
【０００３】
そのために、送信装置はデータを送信するフレーム内にプリアンブルを含む。休止状態で、受信装置は、送信装置から送信されたプリアンブルの検出を周期的に試みる。受信装置がプリアンブルの検出に成功した場合、受信装置は、送信装置からデータが送信されたと判断し、休止状態からアクティブ状態に遷移してデータを受信する。
【発明の概要】
【発明が解決しようとする課題】
【０００４】
本発明は、上記従来の問題点に鑑みてなされたものであって、本発明の目的は、休止状態における受信装置の電力消耗を減少させる送受信装置及び送受信方法を提供することにある。
また、本発明の目的は、受信装置の待機時間を増加させる送受信装置及び送受信方法を提供することにある。
【課題を解決するための手段】
【０００５】
上記目的を達成するためになされた本発明の一態様による送信装置は、第１プリアンブル及び第１データを第１受信装置に送信する第１プリアンブル送信部と、第２プリアンブル及び第２データを第１受信装置及び第２受信装置に送信する第２プリアンブル送信部とを備え、前記第１データは、前記第１プリアンブルの検出有無に応じて前記第１受信装置によって受信され、前記第２データは、前記第２プリアンブルの検出有無に応じて前記第１受信装置及び前記第２受信装置によって受信される。
【０００６】
上記目的を達成するためになされた本発明の一態様による受信装置は、第１プリアンブル又は第２プリアンブルが含まれる受信信号を送信装置から受信する受信部と、制御信号を受信する制御信号受信部と、前記第１プリアンブルを検出する第１プリアンブル検出部と、前記第２プリアンブルを検出する第２プリアンブル検出部と、を備え、前記制御信号受信部は、前記制御信号によって前記第１プリアンブル検出部又は前記第２プリアンブル検出部を活性化させ、前記第１プリアンブル又は前記第２プリアンブルが検出された場合に、前記受信部は、前記送信装置からデータを受信する。
【０００７】
上記目的を達成するためになされた本発明の他の態様による受信装置は、送信装置から受信した第１プリアンブル又は第２プリアンブルを検出するプリアンブル検出部と、前記第１プリアンブル又は前記第２プリアンブルの検出有無に応じて前記送信装置からデータを受信する受信部と、を備え、第２受信装置は、前記送信装置から受信した前記第２プリアンブルを検出し、前記第２プリアンブルの検出有無に応じて前記送信装置から第２データを受信する。
【０００８】
上記目的を達成するためになされた本発明の更に他の態様による受信装置は、送信装置から受信した第１プリアンブルを検出するプリアンブル検出部と、前記第１プリアンブルの検出有無に応じて前記送信装置からデータを受信する受信部と、を備え、第２受信装置は、前記送信装置から受信した前記第１プリアンブル又は第２プリアンブルを検出し、前記第１プリアンブル又は前記第２プリアンブルの検出有無に応じて前記送信装置から第２データを受信する。
【０００９】
上記目的を達成するためになされた本発明の一態様による送信方法は、第１プリアンブル及び第１データを第１受信装置に送信するステップと、第２プリアンブル及び第２データを第１受信装置及び第２受信装置に送信するステップと、を有し、前記第１データは、前記第１プリアンブルの検出有無に応じて前記第１受信装置によって受信され、前記第２データは、前記第２プリアンブルの検出有無に応じて前記第１受信装置又は前記第２受信装置によって受信される。
【００１０】
上記目的を達成するためになされた本発明の一態様による受信方法は、第１プリアンブル又は第２プリアンブルが含まれる受信信号を送信装置から受信するステップと、制御信号を受信するステップと、前記制御信号によって前記第１プリアンブル又は前記第２プリアンブルを検出するステップと、前記第１プリアンブル又は前記第２プリアンブルの検出有無に応じて前記送信装置からデータを受信するステップと、を有する。
【００１１】
上記目的を達成するためになされた本発明の他の態様による受信方法は、送信装置から受信した第１プリアンブル又は第２プリアンブルを検出するステップと、前記第１プリアンブル又は前記第２プリアンブルの検出有無に応じて前記送信装置からデータを受信するステップと、を有し、第２受信装置は、前記送信装置から受信した前記第２プリアンブルを検出し、前記第２プリアンブルの検出有無に応じて前記送信装置から第２データを受信する。
【００１２】
上記目的を達成するためになされた本発明の更に他の態様による受信方法は、送信装置から受信した第１プリアンブルを検出するステップと、前記第１プリアンブルの検出有無に応じて前記送信装置からデータを受信するステップと、を有し、第２受信装置は、前記送信装置から受信した前記第１プリアンブル又は第２プリアンブルを検出し、前記第１プリアンブル又は前記第２プリアンブルの検出有無に応じて前記送信装置から第２データを受信する。
【発明の効果】
【００１３】
本発明によると、休止状態における受信装置の電力消耗を減少させることが可能になり、また受信装置の待機時間を増加させること可能になる。
【図面の簡単な説明】
【００１４】
【図１】マルチクラスプリアンブル構造を用いたデータ送受信方法の一例を説明する図である。
【図２】本発明の一実施形態によるマルチプリアンブルを示す図である。
【図３】第１プリアンブルを各受信装置が受信する実施形態を示す図である。
【図４】第２プリアンブルを各受信装置が受信する実施形態を示す図である。
【図５】本発明の一実施形態による送信装置を示すブロック図である。
【図６】本発明の一実施形態による受信装置を示すブロック図である。
【図７】本発明の他の実施形態による受信装置を示すブロック図である。
【図８】本発明の更に他の実施形態による受信装置を示すブロック図である。
【図９】本発明の一実施形態によるデータ送信方法を示すフローチャートである。
【図１０】本発明の一実施形態によるデータ受信方法を示すフローチャートである。
【図１１】本発明の他の実施形態によるデータ受信方法を示すフローチャートである。
【発明を実施するための形態】
【００１５】
以下、本発明の送受信装置及び送受信方法を実施するための形態の具体例を、図面を参照しながら詳細に説明する。
【００１６】
図１は、マルチクラスプリアンブル構造を用いたデータ送受信方法の一例を説明する図である。
【００１７】
一実施形態によると、送信装置（例えば、後述する図５の実施形態による送信装置５００）は、データを含むデータフレーム１１１、１２１、１３１を受信装置（例えば、後述する図５の実施形態による第１受信装置５４０又は第２受信装置５５０）に送信する。受信装置は、休止状態でデータフレーム１１１、１２１、１３１に含まれるプリアンブル１１０、１２０、１３０を検出する。受信装置がプリアンブル１１０、１２０、１３０の検出に成功した場合、受信装置は、送信装置からデータが送信されていると判断する。送信装置からデータが送信されていない場合、受信装置は、休止状態を保持して電力消耗を減少させる。一方、送信装置からデータが送信された場合、受信装置は、休止状態からアクティブ状態に遷移してデータを受信する
【００１８】
送信装置は、異なる特性を有する複数の受信装置（例えば、後述する図５の実施形態による第１受信装置５４０又は第２受信装置５５０）にデータを送信する。例えば、第１受信装置は、電源ソケットなどから安定的に電源の供給を受け、電力の制限なしにデータを受信する。また、第２受信装置は、バッテリなどを用いて電源の供給を受けるため、データ受信において電力の制限によりいくつかの制約を受ける。
【００１９】
送信装置は、各受信装置の特性に基づいて設計された異なるプリアンブルを送信し、各受信装置は、各受信装置の特性に基づいて複数のプリアンブルの一部又は全てのプリアンブルを検出する。例えば、第１受信装置は、第１プリアンブル及び第２プリアンブルの両方を検出する。例えば、電力の制限を受けない第１受信装置は、全てのプリアンブルを検出し、送信装置からデータを迅速に受信する。一方、電力の制限を受ける第２受信装置は、第２プリアンブルのみを検出することでデータを効率よく受信する。
【００２０】
図１を参照すると、送信装置は、第１プリアンブル１１０、１２０を含むデータフレーム１１１、１２１、及び第２プリアンブル１３０を含むデータフレーム１３１を第２受信装置に送信する。この実施形態において、第２受信装置は、第１プリアンブル１１０、１２０を検出することができない。従って、第１プリアンブル１１０、１２０を含むデータフレーム１１１、１２１に含まれるデータは受信されない。第２受信装置は、第２プリアンブル１３０を検出し、これにより第２受信装置は、第２プリアンブル１３０を含むデータフレーム１３１に含まれるデータ１４０を受信する。
【００２１】
他の実施形態によると、第１受信装置は第１プリアンブルのみを検出して送信装置からデータを受信し、第２受信装置は第２プリアンブルのみを検出して送信装置からデータを受信する。
【００２２】
図２は、本発明の一実施形態によるマルチプリアンブルを示す図である。
【００２３】
図２を参照すると、第１プリアンブル２１１、２１２、２１３、２１４、２１５は、各第１時間区間２２０の間に継続的に送信される。また、第２プリアンブル２４１、２４２は、各第２時間区間２３１、２３２の間に継続的に送信される。送信装置は、第１プリアンブル２１１、２１２、２１３、２１４、２１５及び第２プリアンブル２４１、２４２を全て送信する。各受信装置は、各受信装置の特性に相応するプリアンブルを受信する。
【００２４】
第１時間区間２２０と第２時間区間２３１、２３２は異なる長さの時間区間である。図２に示すように、第１時間区間２２０は第２時間区間２３１、２３２の整数倍である。
【００２５】
第１受信装置は、第１時間区間２２０ごとに繰り返されるプリアンブルを受信する。図２を参照すると、第１受信装置は、第１時間区間２２０ごとに繰り返される第１プリアンブル２１１、２１２、２１３、２１４、２１５及び第２プリアンブル２４１、２４２を受信する。
【００２６】
一方、第２受信装置は、第２時間区間２３１、２３２ごとに繰り返される複数のプリアンブルを受信する。図２を参照すると、第２受信装置は、第２時間区間２３１、２３２ごとに繰り返される第２プリアンブル２４１、２４２を受信するが、第１プリアンブルを受信しない。
【００２７】
図３は、第１プリアンブルを各受信装置が受信する実施形態を示す図である。
【００２８】
第１受信装置は、送信装置から受信した信号を第１関係信号と関連付けすることで第１プリアンブルを検出する。第１関係信号の長さと第１時間区間２２０の長さは同一である。例えば、第１関係信号の長さと第１時間区間２２０の長さが同一の場合に、第１受信装置は、第１時間区間２２０ごとに繰り返されるプリアンブルを検出する。
【００２９】
図３を参照すると、第１受信装置は、第１時間区間２２０が２回繰り返された後から第１プリアンブルを検出する。
【００３０】
一方、第２受信装置は、送信装置から受信した信号を第２関係信号と関連付けすることで第２プリアンブルを検出する。第２関係信号の長さと第２時間区間２３１、２３２の長さは同一である。例えば、第２関係信号の長さと第２時間区間２３１、２３２の長さが同一の場合に、第２受信装置は、第２時間区間２３１、２３２ごとに繰り返されるプリアンブルを検出する。
【００３１】
しかし、第１プリアンブルの長さが第２関係信号の長さの整数倍の場合には、第２受信装置は、第１プリアンブルを検出しない。図３を参照すると、第２受信装置は、第１プリアンブルを検出しない。
【００３２】
図４は、第２プリアンブルを各受信装置が受信する実施形態を示す図である。
【００３３】
第２プリアンブルは、第２時間区間２３１、２３２ごとに繰り返される。第１時間区間２２０の長さは第２時間区間２３１、２３２の長さの整数倍である。従って、第２プリアンブルが整数個結合された場合、第２プリアンブルは、第１時間区間２２０ごとに繰り返される。従って、図４における第１受信装置は、第１関係信号を用いて第１時間区間２２０が２回繰り返された後から第２プリアンブルを検出する。
【００３４】
第２受信装置は、第２時間区間２３１、２３２が２回繰り返された後から第２プリアンブルを検出する。
【００３５】
図３及び図４において、各受信装置が図２に示したプリアンブルを受信する実施形態について説明した。この場合、第１受信装置は第１プリアンブル及び第２プリアンブルの両方を受信し、第２受信装置は第２プリアンブルのみを受信する。
【００３６】
図５は、本発明の一実施形態による送信装置を示すブロック図である。
【００３７】
送信装置５００は、第１プリアンブル送信部５１０、第２プリアンブル送信部５３０、及び制御信号送信部５２０を備える。
【００３８】
第１プリアンブル送信部５１０は、第１受信装置５４０で検出可能な第１プリアンブルを第１受信装置５４０に送信する。
【００３９】
第２プリアンブル送信部５３０は、第２受信装置５５０で検出可能な第２プリアンブルを第２受信装置５５０に送信する。
【００４０】
また、第１プリアンブル送信部５１０は第１プリアンブルを第２受信装置５５０に送信し、第２プリアンブル送信部５３０は第２プリアンブルを第１受信装置５４０に送信する。一実施形態において、第２受信装置５５０は第１プリアンブルを検出しないが、第１受信装置５４０は第２プリアンブルを検出する。
【００４１】
第１プリアンブルの長さは第２プリアンブルの長さの整数倍である。
【００４２】
第１受信装置５４０は電源ソケットなどから安定的に電力が供給される受信装置であり、第２受信装置５５０はバッテリなどを用いて電力が供給される受信装置である。この場合、第１受信装置５４０は電力の制限なしにデータを受信し、第２受信装置５５０はデータの受信において電力の制限によりいくつかの制約がある。
【００４３】
上述したように、第１受信装置５４０は、第１プリアンブル及び第２プリアンブルの両方を検出する。第１受信装置５４０がデータを受信する場合、第１受信装置は、電力の制限がないため、第１プリアンブル又は第２プリアンブルが送信される時間区間ごとに第１プリアンブル又は第２プリアンブルの検出を試みる。第１受信装置５４０がプリアンブルの検出に成功した場合、第１受信装置５４０は、送信装置５００からデータが送信されたと判断する。これにより、第１受信装置５４０は、休止状態からアクティブ状態に遷移し、送信装置５００からデータを受信する。
【００４４】
一方、第２受信装置５５０は、第２プリアンブルのみを検出する。第２受信装置は、第２プリアンブルが送信される時間区間ごとに第２プリアンブルの検出を試みる。第２受信装置５５０は第２プリアンブルの検出のみを試みるため、第１受信装置５４０よりも電力消耗が減少する。第２受信装置５５０が第２プリアンブルの検出に成功した場合、第２受信装置５５０は、送信装置５００からデータが送信されたと判断する。これにより、第２受信装置５５０は、休止状態からアクティブ状態に遷移して送信装置５００からデータを受信する。
【００４５】
制御信号送信部５２０は、第１受信装置５４０及び第２受信装置５５０の各々に制御信号を送信する。第１受信装置５４０及び第２受信装置５５０の各々は、制御信号によって第１プリアンブル及び第２プリアンブルの両方を検出するか、又は第２プリアンブルのみを検出する。
【００４６】
図６は、本発明の一実施形態による受信装置を示すブロック図である。
【００４７】
受信装置６００は、受信部６１０、制御信号受信部６２０、第１プリアンブル検出部６３０、及び第２プリアンブル検出部６４０を備える。
【００４８】
受信部６１０は、第１プリアンブル又は第２プリアンブルが含まれる受信信号を送信装置６５０から受信する。
【００４９】
制御信号受信部６２０は上位レイヤから制御信号を受信する。制御信号は、受信装置６００が検出しなければならないプリアンブルに関する情報を含む。
【００５０】
第１プリアンブル検出部６３０は第１プリアンブルを検出する。
【００５１】
第２プリアンブル検出部６４０は第２プリアンブルを検出する。
【００５２】
受信装置６００が休止状態である場合、制御信号受信部６２０は、第１プリアンブル検出部６３０及び第２プリアンブル検出部６４０を非活性化させ、電力を遮断することで、受信装置６００の電力消耗を減少させる。
【００５３】
送信装置６５０は、受信装置６００が受信しなければならないプリアンブルを制御信号を用いて指定する。送信装置６５０は、制御信号を受信装置６００に送信する。受信装置の上位レイヤは制御信号を認識する。制御信号受信部６２０は、上位レイヤから制御信号を受信する。
【００５４】
制御信号受信部６２０は、制御信号によって第１プリアンブル検出部６３０又は第２プリアンブル検出部６４０を活性化させる。例えば、制御信号の内容が「受信装置６００が第１プリアンブルを検出しなければならない」場合、制御信号受信部６２０は、第１プリアンブルが送信される時間区間の間に第１プリアンブル検出部６３０を活性化させる。第２プリアンブル検出部６４０が活性化されず、第１プリアンブル検出部６３０のみが活性化されるため、受信装置６００の電力消耗は減少する。
【００５５】
制御信号の内容が「受信装置６００が第２プリアンブルを検出しなければならない」場合、制御信号受信部６２０は、第２プリアンブル検出部６４０のみを活性化することで電力消耗を減少させる。
【００５６】
第１プリアンブルの長さは第２プリアンブルの長さの整数倍である。一実施形態において、第２プリアンブル検出部６４０は、第２プリアンブルのみならず、第１プリアンブルも検出する。
【００５７】
図７は、本発明の他の実施形態による受信装置を示すブロック図である。
【００５８】
受信装置７００は、受信部７１０、第１プリアンブル検出部７２０、第２プリアンブル検出部７３０、及びマルチプレクサ（ＭＵＸ）７４０を備える。
【００５９】
受信部７１０は、第１プリアンブル又は第２プリアンブルを含む受信信号を送信装置７５０から受信する。
【００６０】
第１プリアンブル検出部７２０は、受信信号に含まれる第１プリアンブルを検出する。受信信号に第１プリアンブルが含まれている場合、第１プリアンブル検出部７２０は、第１プリアンブルの検出に成功する。
【００６１】
第２プリアンブル検出部７３０は、受信信号に含まれる第２プリアンブルを検出する。受信信号に第２プリアンブルが含まれている場合、第２プリアンブル検出部７３０は、第２プリアンブルの検出に成功する。
【００６２】
マルチプレクサ７４０は、制御信号によって第１プリアンブル検出部７２０及び第２プリアンブル検出部７３０の出力のいずれか１つの出力を選択する。
【００６３】
例えば、受信信号は第１プリアンブルを含み、第１プリアンブル検出部７２０は第１プリアンブルを検出する。この場合、マルチプレクサ７４０は、制御信号によって第１プリアンブル検出部７２０の出力を選択する。
【００６４】
或いは、受信信号は第２プリアンブルを含み、第２プリアンブル検出部７３０は第２プリアンブルを検出する。この場合、マルチプレクサ７４０は、制御信号によって第２プリアンブル検出部７３０の出力を選択する。
【００６５】
図８は、本発明の更に他の実施形態による受信装置を示すブロック図である。
【００６６】
受信装置８００は、プリアンブル検出部８１０及び受信部８２０を備える。
【００６７】
受信装置８００は、第１プリアンブル及び第２プリアンブルの両方を検出する受信装置として作動するか、又は第１プリアンブルのみを検出する受信装置として作動作する。
【００６８】
（１）第１プリアンブル及び第２プリアンブルの両方を検出する受信装置８００として作動する場合
【００６９】
プリアンブル検出部８１０は、送信装置８３０から受信した第１プリアンブル又は第２プリアンブルを検出する。第２プリアンブルは受信装置８００及び第２受信装置８４０の両方で検出されるプリアンブルであり、第１プリアンブルは受信装置８００のみによって検出されるプリアンブルである。
【００７０】
第１プリアンブルの長さは第２プリアンブルの長さの整数倍である。一実施形態において、送信装置８３０は、第１プリアンブルが送信される時間区間の間に第２プリアンブルを繰り返して送信する。
【００７１】
受信部８２０は、第１プリアンブル又は第２プリアンブルの検出有無に応じて送信装置８３０からデータを受信する。プリアンブル検出部８１０が第１プリアンブル又は第２プリアンブルの検出に成功した場合に、受信部８２０は、送信装置８３０からデータを受信する。
【００７２】
第２受信装置８４０は、送信装置８３０から受信した第２プリアンブルを検出する。第２受信装置８４０が第２プリアンブルの検出に成功した場合に、第２受信装置８４０は、送信装置８３０から第２データを受信する。
【００７３】
（２）第１プリアンブルのみを検出する受信装置８００として作動する場合
【００７４】
プリアンブル検出部８１０は、送信装置８３０から受信した第１プリアンブルを検出する。第１プリアンブルは受信装置８００及び第２受信装置８４０で検出されるプリアンブルであり、第２プリアンブルは第２受信装置８４０のみで検出されるプリアンブルである。
【００７５】
第１プリアンブルの長さは第２プリアンブルの長さの整数倍である。一実施形態において、送信装置８３０は、第１プリアンブルが送信される時間区間の間に第２プリアンブルを繰り返して送信する。
【００７６】
受信部８２０は、第１プリアンブルの検出有無に応じて送信装置８３０からデータを受信する。プリアンブル検出部８１０が第１プリアンブルの検出に成功した場合に、受信部８２０は、送信装置８３０からデータを受信する。
【００７７】
第２受信装置８４０は、送信装置８３０から受信した第１プリアンブル又は第２プリアンブルを検出する。第２受信装置８４０が第１プリアンブル又は第２プリアンブルの検出に成功した場合に、第２受信装置８４０は、送信装置８３０から第２データを受信する。
【００７８】
図９は、本発明の一実施形態によるデータ送信方法を示すフローチャートである。
【００７９】
ステップＳ９１０において、送信装置、例えば図５の送信装置５００は、第１プリアンブル及び第１データを第１受信装置、例えば図５の第１受信装置５４０に送信する。
【００８０】
ステップＳ９２０において、送信装置は、第２プリアンブル及び第２データを第１受信装置及び第２受信装置、例えば図５の第２受信装置５５０に送信する。
【００８１】
第２プリアンブルは第１受信装置及び第２受信装置の両方で検出されるプリアンブルであり、第１プリアンブルは第１受信装置のみで検出されるプリアンブルである。第１プリアンブルの長さは第２プリアンブルの長さの整数倍である。
【００８２】
送信装置は、第１プリアンブルが送信される時間区間の間に第２プリアンブルを繰り返して送信する。
【００８３】
第１受信装置は、第１プリアンブル及び第２プリアンブルの両方を検出する。第１受信装置が第１プリアンブルの検出に成功した場合に、第１受信装置は第１データを受信する。第１受信装置が第２プリアンブルの検出に成功した場合に、第１受信装置は第２データを受信する。
【００８４】
一方、第２受信装置は第２プリアンブルを検出する。第２受信装置が第２プリアンブルの検出に成功した場合に、第２受信装置は第２データを受信する。
【００８５】
第１受信装置は電源ソケットなどから安定的に電力が供給される受信装置であり、第２受信装置はバッテリなどを用いて電力が供給される受信装置である。この場合、第１受信装置は電力の制限なしにデータを受信し、第２受信装置はデータの受信において電力の制限によりいくつかの制約がある。
【００８６】
第２受信装置は、第２プリアンブルが送信される時間区間の間にのみ作動するため、データ受信における電力消耗を減少させる。
【００８７】
図１０は、本発明の一実施形態によるデータ受信方法を示すフローチャートである。
【００８８】
ステップＳ１０１０において、受信装置は、第１プリアンブル又は第２プリアンブルが含まれる受信信号を送信装置から受信する。
【００８９】
第１プリアンブルは第１受信装置のみで検出されるプリアンブルであり、第２プリアンブルは第１受信装置及び第２受信装置で検出されるプリアンブルである。第１プリアンブルの長さは第２プリアンブルの長さの整数倍である。送信装置は、第１プリアンブルが送信される時間区間の間に第２プリアンブルを繰り返して送信する。
【００９０】
ステップＳ１０２０において、受信装置は送信装置から制御信号を受信する。制御信号は受信装置で受信されるプリアンブルに関する情報を含む。
【００９１】
ステップＳ１０３０において、受信装置は制御信号によって第１プリアンブル又は第２プリアンブルを検出する。
【００９２】
制御信号は、第１プリアンブル及び第２プリアンブルのいずれか１つのプリアンブルに関する情報を含み、受信装置は、制御信号によって第１プリアンブル及び第２プリアンブルのいずれか１つのプリアンブルのみを検出する。受信装置は、第１プリアンブルを検出する第１プリアンブル検出部と第２プリアンブルを検出する第２プリアンブル検出部を備える。受信装置は、制御信号によって第１プリアンブル検出部及び第２プリアンブル検出部のいずれか１つのプリアンブル検出部を非活性化させて電力消耗を減少させる。
【００９３】
ステップＳ１０４０において、受信装置は、第１プリアンブル又は第２プリアンブルの検出有無に応じて送信装置からデータを受信する。
【００９４】
図１１は、本発明の他の実施形態によるデータ受信方法を示すフローチャートである。
【００９５】
ステップＳ１１１０において、受信装置は、送信装置から受信した第１プリアンブル又は第２プリアンブルを検出する。
【００９６】
第２プリアンブルは受信装置及び第２受信装置の両方で検出されるプリアンブルであり、第１プリアンブルは受信装置のみで検出されるプリアンブルである。
【００９７】
第１プリアンブルの長さは第２プリアンブルの長さの整数倍である。送信装置は第１プリアンブルが送信される時間区間の間に第２プリアンブルを繰り返して送信する。
【００９８】
ステップＳ１１１０において、第２受信装置は第２プリアンブルを検出する。
【００９９】
ステップＳ１１２０において、受信装置は、第１プリアンブル又は第２プリアンブルの検出有無に応じて送信装置からデータを受信する。受信装置が第１プリアンブルの検出に成功するか、又は第２プリアンブルの検出に成功した場合に、受信装置は、送信装置からデータを受信する。
【０１００】
また、第２受信装置が第２プリアンブルの検出に成功した場合に、第２受信装置は送信装置からデータを受信する。
【０１０１】
第２受信装置は、第２プリアンブルが送信される時間区間の間にのみ第２プリアンブルを検出する動作を行い、第１プリアンブルが送信される時間区間には作動しない。従って、データ受信の際に、データ受信に関する電力消耗を減少させることが可能になる。
【０１０２】
本発明の実施形態による送信方法及び受信方法は、多様なコンピュータ手段によって実行することができるプログラム命令形態で具現され、コンピュータ読み取り可能な記録媒体に記録することができる。記録媒体は、プログラム命令、データファイル、データ構造などを単独又は組み合わせたものを含み得る。記録媒体及びプログラム命令は、本発明の目的のために特別に設計して構成されたものでもよく、コンピュータソフトウェア分野の技術を有する当業者にとって公知のものであり使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行され得る高級言語コードを含む。上記のハードウェア装置は、本発明の動作を行うために１つ以上のソフトウェアモジュールとして作動するように構成してもよく、その逆も同様である。
【０１０３】
上述したように、本発明を限定された実施形態と図面によって説明したが、本発明は、上述の実施形態に限定されることなく、本発明が属する分野における通常の知識を有する者であれば、このような実施形態から様々に修正及び変形が可能である。
【０１０４】
従って、本発明の範囲は、開示された実施形態に限定して定められるものではなく、特許請求の範囲及び特許請求の範囲と均等なものなどによって定められるものである。
【符号の説明】
【０１０５】
１１０、１２０    第１プリアンブル
１３０    第２プリアンブル
１１１、１２１、１３１    データフレーム
１４０    データ
２２０    第１時間区間
２３１、２３２    第２時間区間
５００、６５０、７５０、８３０    送信装置
５１０    第１プリアンブル送信部
５２０    制御信号送信部
５３０    第１プリアンブル送信部
５４０    第１受信装置
５５０、８４０    第２受信装置
６００、７００、８００    受信装置
６１０、７１０、８２０    受信部
６２０    制御信号受信部
６３０、７２０    第１プリアンブル検出部
６４０、７３０    第２プリアンブル検出部
７４０    マルチプレクサ（ＭＵＸ）
８１０    プリアンブル検出部
【図１】
2013528967.tif 000003
【図２】
2013528967.tif 000004
【図３】
2013528967.tif 000005
【図４】
2013528967.tif 000006
【図５】
2013528967.tif 000007
【図６】
2013528967.tif 000008
【図７】
2013528967.tif 000009
【図８】
2013528967.tif 000010
【図９】
2013528967.tif 000011
【図１０】
2013528967.tif 000012
【図１１】
2013528967.tif 000013
【国際調査報告】
2013528967.tif 000014
2013528967.tif 000015